【事件の表示】
　商願２０１７−　３４２００拒絶査定不服審判事件について，次のとおり審決する。
【結　論】
　本件審判の請求は，成り立たない。
【理　由】
１　本願商標
　本願商標は，「ＫＡＲＡＴＳＵ」の欧文字及び「唐津」の漢字を二段に書してなり，第３類，第５類，第２９類，第３２類，第３５類及び第４１類に属する願書記載のとおりの商品及び役務を指定商品及び指定役務として，平成２９年３月１４日に登録出願され，その後，指定商品及び指定役務については，原審における同年１２月１２日受付及び当審における同３０年６月１８日受付の手続補正書により，最終的に，第３類「化粧品，せっけん類」に補正されたものである。
２　原査定の拒絶の理由の要点
　原査定は，「本願商標は，『ＫＡＲＡＴＳＵ』（下段の漢字部分『唐津』の欧文字表記）及び『唐津』の文字を上下二段に表してなるところ，その構成中の『唐津』の文字は，『株式会社岩波書店　広辞苑第六版』によれば『佐賀県北西部，唐津湾に臨む市。』との記載があり，また，コンサイス日本地名事典によれば，『からつ　唐津　佐賀県北西部の市名』との記載があることから，地名を表す語といえる。また，『ＫＡＲＡＴＳＵ』の文字は，『唐津』の欧文字表記と認められる。そして，『唐津』『ＫＡＲＡＴＳＵ』の文字が，唐津市を指称する語として普通に使用されている実情が認められる。 してみれば，本願商標をその指定商品・指定役務に使用しても，単に商品の産地・販売地又は役務の提供の場所を普通に用いられる方法で表したもので自他商品・役務の識別機能を果たさないものとみるのが相当である。したがって，本願商標は，商標法第３条第１項第３号に該当する。」旨認定，判断し，本願を拒絶したものである。
３　当審における審尋
　当審において，平成３０年１０月２２日付けで通知した審尋により，使用例等の事実を新たに示した上で，本願商標が商標法第３条第１項第３号に該当する旨の見解を示し，相当の期間を指定して，請求人に意見を求めた。
４　審尋に対する請求人の意見
　請求人は上記審尋に対し，所定の期間を経過するも何ら意見を述べていない。
５　当審の判断
（１）商標法第３条第１項第３号について
　本願商標は，上記１のとおり，「ＫＡＲＡＴＳＵ」の欧文字及び「唐津」の漢字を二段に書してなるところ，その構成中「唐津」の文字は「佐賀県北西部，唐津湾に臨む市。」の意味を有する語（「広辞苑第六版」　株式会社岩波書店）であり，「ＫＡＲＡＴＳＵ」の文字はその欧文字表示と認められるものである。 
　そして，以下のインターネット情報によれば，「唐津」を含む日本各地の地名が，本願商標の指定商品を取り扱う業界において，商品の産地・販売地を表す語あるいは商品の原材料の産地を表す語として，普通に使用されている実情を確認することができる。  
　ア　「唐津」が，本願商標の指定商品を取り扱う業界において，原材料の産地を表す語として使用されている例（下線は合議体による。以下同じ。）（ア）Ｙａｈｏｏ！Ｊａｐａｎショッピング内のコスメティックＹＯＫＯ・ＪＡＰＡＮのウェブサイト 
　「スキンケア　ＧＯ　ＦＯＲ　ＭＥＮ　３０ｍＬ」という商品の紹介ページにおいて，「成分」の項に「トマト果実エキス（
唐津
（https://store.shopping.yahoo.co.jp/yokojapan/goformen2.html） 
（イ）ＰＲＴＩＭＥＳのウェブサイト 
　「女子大生による化粧品企画・開発　佐賀県
唐津
唐津
（https://prtimes.jp/main/html/rd/p/000000016.000012788.html?utm_source=antenna） 
（ウ）ＯＲＩＣＯＮ　ＮＥＷＳのウェブサイト 
　「自社栽培の
唐津
（https://www.oricon.co.jp/pressrelease/95730/） 
（エ）Ｒａｋｕｔｅｎ内のＢｌａｎｃ・Ｌａｐｉｎのウェブサイト 
　「Ｌｕｎａルーナ　洗顔石鹸　９０ｇ［５３７４１４］」という商品の紹介ページにおいて，「商品説明」の見出しの下，「江戸時代から続く佐賀 唐津の，ざる豆腐発祥の店・川島豆腐店の石けんです。九州で育った上質な大豆だけを使った豆腐から作られる豆乳発酵液（保湿成分）や
唐津
（https://item.rakuten.co.jp/blanc-lapin/lnabs0000001/） 
　イ　「唐津」を含む日本各地の地名が，本願商標の指定商品を取り扱う業界において，商品の産地を表す語として使用されている例 
（ア）佐賀６次産業化サポートセンターのウェブサイト 
　「さがんものたち　大人のナチュラルオリーブ化粧品」の見出しの下，「大人のナチュラルオリーブ化粧品〜唐津の潮風に吹かれて〜」の項に，「お肌に優しい植物由来成分を配合し，オリーブ素材の力を最大限に引き出した，
唐津
（https://www.saga-6sapo.jp/saganmonotachi/harvest.html） 
（イ）日本経済新聞のウェブサイト 
　「
沖縄県
沖縄県
 （https://www.nikkei.com/article/DGXLZO14114390V10C17A3LX0000/） 
　ウ　日本各地の地名が，本願商標の指定商品を取り扱う業界において，商品の原材料の産地を表す語として使用されている例 
（ア）ｍｉｋａｎ−ｈａｄａｍａｒｏのウェブサイト 
　「商品説明」の項に「和歌山県『
有田
（https://www.sowacosme.jp/SHOP/500-001.html） 
（イ）チュフディ　ナチュールのウェブサイト 
　「自然の贈り物　青パパイア石鹸１００ｇ」という商品の紹介ページにおいて，「強い日差しを受けて育った
沖縄
（https://www.chufudi.jp/products/detail.php?product_id=9） 
（ウ）Ｒｅａｄｙ　ｆｏｒのウェブサイト 
　「【せっけん成分】」の見出しの下，「・イチゴ果汁 ： 
佐賀
（https://readyfor.jp/projects/verizza） 
（エ）ＳＰＵＲ．ＪＰのウェブサイト 
　「進化したイグニスの『サニーサワー デュオ』アイテムでザラつきのないなめらかな肌に！」の見出しの下，「イグニスの『サニーサワー』アイテムが，
佐賀
瀬戸田
佐賀
（https://spur.hpplus.jp/beauty/news/201706/18/MgCVABc/）
　これらの記事によれば，商品に地名を表示した場合には，一般的に商品の産地等を認識させるものであるといえるところ，本願商標は「佐賀県北西部，唐津湾に臨む市。」の地名を理解，認識させるものであるから，商品の産地等を意味する文字として理解されるものである。
　そうすると，本願商標は，これをその指定商品に使用したときは，その商品に接する需要者，取引者は，本願商標が「唐津で生産された商品」であるという商品の産地あるいは「唐津で生産されたものを原材料とする商品」であるという商品の品質を表したものとして理解するにとどまり，自他商品の識別標識としては認識し得ないものといわざるを得ない。
　してみれば，本願商標は，その商品の品質を普通に用いられる方法で表示する標章のみからなる商標であるというのが相当である。  
　したがって，本願商標は，商標法第３条第１項第３号に該当する。
（２）請求人の主張について
　ア　請求人は，「佐賀県唐津市は，窯業及び観光業だけでなく，農畜産物の産地でもある。一方，本願商標で表される『ＫＡＲＡＴＳＵ』及び『唐津』が，指定商品『化粧品』及び『せっけん類』の生産若しくは販売の際に商標として用いられている事実については確認できなかった。このため，需要者・取引者は，本願商標で表される『ＫＡＲＡＴＳＵ』及び『唐津』を，指定商品『化粧品』及び『せっけん類』の産地若しくは販売地としては把握することは困難であると考える。」旨及び「取引者・需要者が、地域名が指定商品『化粧品』『せっけん類』の産地若しくは販売地を表すものと認識するのは困難であることから、化粧品やせっけん類を識別する標識として認識するので、本願商標は自他商品識別力を有する。」主張している。
　しかしながら，上記（１）のとおり，本願商標の構成文字の意味及び本願商標の指定商品を取り扱う業界における取引の実情からすれば，本願商標がその指定商品に使用されるときは，その商品に接する需要者，取引者は，本願商標が「唐津で生産された商品」であるという商品の産地あるいは「唐津で生産されたものを原材料とする商品」であるという商品の品質を表したものとして理解するにとどまり，自他商品の識別標識としては認識し得ないものといわざるを得ない。 
　イ　請求人は，過去の登録例及び審決例を挙げて，本願商標も登録されるべき旨を主張している。
　しかしながら，登録出願に係る商標が商標法第３条第１項の規定に該当するか否かは，当該商標の査定時又は審決時において，当該商標の構成態様と指定商品，指定役務との関係や，その商品又は役務の分野における取引の実情をも踏まえて，個別具体的に判断されるべきものであるところ，請求人の挙げた登録例及び審決例は，商標の構成態様が本願商標とは異なるものである点及びその指定商品も異なる点において，本願とは，事案を異にするものというべきであり，また，過去の登録例や審決例が存在することをもって，本願商標の上記判断が左右されるものではない。
　したがって，請求人の上記主張はいずれも採用することはできない。
（３）まとめ
　以上のとおり，本願商標は，商標法第３条第１項第３号に該当し，登録することができない。
　よって，結論のとおり審決する。